(57)【要約】【課題】  薄型の液晶テレビやプラズマテレビを壁面に取付ける構造において、薄型テレビ受像機への接続機器や配線を表面に出すこと無く見栄えよく機能性に優れ、しかも簡便に取付けできる薄型テレビ受像機用壁面取付け金具を提供する。【解決手段】  壁面部Ｂに螺着させた１対の壁面取付け金具１に接続機器用収納ボックス５を結持した本体調整金具４を横架挾持し、薄型テレビ受像機Ａ背面に結持したモニター取付け金具２へモニター用ブラケット３を添装させた状態で本体調整金具５に装着させる事を構造とする薄型テレビ受像機用壁面取付け金具。【選択図】図１
0003173653.tif 000002
【実用新案登録請求の範囲】
【請求項１】
薄型の液晶テレビやプラズマテレビを壁面に取付ける構造において、壁面部に螺着させた１対の壁面取付け金具に接続機器用収納ボックスを取付けした本体調整金具を横架挾持し、薄型テレビ受像機背面に結持したモニター取付け金具へモニター用ブラケットを添装させた状態で本体調整金具に装着させる事を特徴とする薄型テレビ受像機用壁面取付け金具。
【考案の詳細な説明】
【技術分野】
【０００１】  本考案は、薄型の液晶テレビやプラズマテレビの壁面への取付け金具に関する。
【背景技術】
【０００２】  従来、店舗や公共施設内等で使用される薄型テレビ受像機を壁面に取付ける構造において、セットトップボックスと呼ばれる接続機器を共に設置する場合、接続機器は薄型テレビ受像機を取付ける金具の上部又は下部に設けられた棚等に載置する構造となっている。【０００３】  しかしながら、従来の構造だと接続機器本体と配線ケーブルだけでなく、取付け金具の一部までもが見えてしまい美観を損なってしまう。さらに、壁面のスペースもとられてしまいスマートさに欠ける。又、これを是正する為、接続機器を薄型テレビ受像機の背面にベルトで固定したり、直接金具に接続して隠す方法もとられてはいるが、いずれにしても薄型テレビ受像機に利用される接続機器は、使用される薄型テレビ受像機専用の接続機器に限定されてしまっており汎用性がない。
【先行技術文献】
【非特許文献】
【０００４】
【非特許文献１】「オーロラ総合カタログ  Ｖｏｌ．４０」，株式会社共栄商事，２０１１年７月，Ｐ．２６
【考案の概要】
【考案が解決しようとする課題】
【０００５】  本考案は、上記問題点を鑑みなされたもので、薄型テレビ受像機へ繋ぐ接続機器や配線ケーブルを表面に出す事無く、見栄えよく機能性に優れ、しかも簡便に取付けできる薄型テレビ受像機用壁面取付け金具を提供しようとするものである。
【課題を解決するための手段】
【０００６】  上記課題を解決するために、本考案は、壁面部に螺着させた左右１対の壁面取付け金具に、接続機器用収納ボックスを結持した本体調整金具を横架挾持し、薄型テレビ受像機背面に固定したモニター取付け金具へ、モニター用ブラケットを添装させた状態で本体調整金具に装着結持することを構造とすること。
【考案の効果】
【０００７】  本考案の効果として、薄型テレビ受像機背面と壁面との間のスペースに接続機器を納める為、接続機器や配線ケーブルが表面にでず非常に見栄えがよい。さらに収納部をボックスにする事によって、使用される薄型テレビ受像機用の専用機器だけでなく、異なったメーカーの機器やさまざまなサイズの接続機器も簡単に収納でき汎用性がある。又、壁面取付け金具を各々のパーツごとに結持できる為、取付け施工が簡単である。
【図面の簡単な説明】
【０００８】
【図１】本考案に係わる薄型テレビ受像機用壁面取付け金具の設置正面斜視図。
【図２】本考案に係わる薄型テレビ受像機用壁面取付け金具の設置上面図。
【図３】本考案に係わる薄型テレビ受像機用壁面取付け金具の接続機器用収納ボックスを使用しない場合の設置上面図。
【図４】従来技術の薄型テレビ受像機用壁面取付け金具の設置立体図。
【考案を実施するための形態】
【０００９】  薄型テレビ受像機を固定する為のモニター取付け金具、壁面に固定する為の壁面取付け金具、接続機器を収納するボックス、これらを連結する為、モニター用ブラケットと本体調整金具で結持させる構造とする。以下、本考案の実施の形態を図に基づいて説明する。
【実施例】
【００１０】  図１は本考案の薄型テレビ受像機用壁面取付け金具を壁面に取付ける正面斜視図を示しており、壁面Ｂへの取付け孔と本体調整金具４との結持孔を設けた左右一対の壁面取付け金具１を壁面部Ｂに螺着させ、本体調整金具４の背面側に接続機器用収納ボックス５を結持した状態で、壁面取付け金具１に横架挾持する。薄型テレビ受像機Ａには、背面取付け用のインサートナットを利用して左右一対のモニター取付け金具２を固定し、さらにモニター取付け金具２と本体調整金具４を結持させる左右一対のモニター用ブラケット３を添装する。これにより、薄型テレビ受像機Ａを、本体調整金具４へ装着結持させる事ができ壁面へ固定される。【００１１】  モニター取付け金具２は、左右一対のＬ型形状で上部面を三角板で補強し、薄型テレビ受像機Ａの背面取付け用のインサートナットに合わせ、ＶＥＳＡ規格に準拠した寸法で丸孔と長孔の取付け孔を複数個設ける。さらに、モニター用ブラケット３との接地面には、薄型テレビ受像機Ａを傾斜させる為のチルト機構用の孔を施す。これにより傾斜角度の調整が可能となる。【００１２】  モニター用ブラケット３に於いては、金具上部に本体調整金具４との結持孔を設けたクランク状の引っ掛け係止構造とし、金具側面部内側には、モニター取付け金具２の傾斜機構との結持用ナットを溶着させる。これによりモニター取付け金具２の固定された薄型テレビ受像機Ａと本体調整金具４を装着結持させることが可能となる。【００１３】  本体調整金具４は、前面には薄型テレビ受像機Ａとモニター取付け金具２を結持したモニター用ブラケット３を、背面には接続機器用収納ボックス５を、両側面には壁面Ｂへ螺着させた壁面取付け金具１を、各々結持させる為のナット溶着と接続孔を施しており、これにより、コンパクトに連結することが可能となる。【００１４】  図２は、図１にて説明した本形態の上面図である。薄型テレビ受像機Ａと壁面Ｂとの間に壁面取付け金具１と本体調整金具４、モニター用ブラケット３、モニター取付け金具２を各々連結結持し接続機器用収納ボックス５を設置させた状態を示している。本構造により接続機器を収納しても、薄型テレビ受像機Ａの背面に隠れて、機器本体だけでなく配線ケーブルも見える事なく非常に美観よくスマートに設置させる事が可能である。【００１５】  接続機器用ボックス５には、底面に放熱用の孔を複数個設け、本体調整金具４との接地面には通線用の開口を設ける。これにより、配線ケーブルを外側に出さず楽に薄型テレビ受像機Ａに繋ぐ事が可能となる。【００１６】  図３は、本考案の接続機器用収納ボックス５を使用しない形態を示した上面図である。薄型テレビ受像機Ａを壁面Ｂに取付け運用する様々な使用形態において、単純に薄型テレビ受像機Ａだけを設置し映像ソースを別の場所の機器から送信する場合、接続機器用収納ボックス５は無用となる為、その設置スペースに本体調整金具４を壁面Ｂに寄せ壁面取付け金具１に結持することによって、よりコンパクトに設置させることが可能である。その為には、壁面取付け金具１の側面の本体調整金具４との接続孔は壁面寄りと先端側寄りに設けることにより、接続機器用収納ボックス５を使用しない状況時に対応させることもできる���【００１７】  図４は、従来の形態を示した立体図であり、薄型テレビ受像機Ａを取付けてある金具支柱６下部に棚８を固定し接続機器Ｃを載置する構造となっている。この形態だと接続機器Ｃと配線ケーブル７だけでなく、金具支柱６の一部が見えてしまい美観を損なってしまう。
【符号の説明】
【００１８】  １：壁面取付け金具
２：モニター取付け金具
３：モニター用ブラケット
４：本体調整金具
５：接続機器用収納ボックス
６：金具支柱
７：配線ケーブル
８：棚
Ａ：薄型テレビ受像機
Ｂ：壁面
Ｃ：接続機器
【図１】
0003173653.tif 000003
【図２】
0003173653.tif 000004
【図３】
0003173653.tif 000005
【図４】
0003173653.tif 000006